(57)【要約】【課題】小さく軽い異物をも捕捉し得る濾過装置を提供する。【解決手段】上下方向Ｚの下側で第１のシリンダーと接続されると共に、桶状のダスト収集室を画成する桶本体を有する桶部と、第２のシリンダーに上下方向に延伸するよう設けられると共に、複数の網目によって形成され且つダスト収集室よりも異物を捕捉し得る内部の体積が小さいネットとを備え、大きくて重い第１の異物は、第１のシリンダーの内壁に衝突してダスト収集室に落下し、第１の異物よりも小さくて軽い第２の異物は、ネットの網目によって捕捉される。【選択図】図２
2019205968.tif 000002
【特許請求の範囲】
【請求項１】
異物が混入した流体を吸い込む第１の開口と、流体を排出する第２の開口と、前記第１の開口と前記第２の開口の間に形成され且つ前記第１の開口及び前記第２の開口が形成された方向と交差する方向へ向けて開口した第３の開口と、前記第１の開口と前記第２の開口の間に設けられ前記第３の開口へ延伸する仕切板が形成されたアダプターカバーを備えた濾過装置において、
筒状を呈し、前記アダプターカバーの前記第３の開口に一端が接続される第１のシリンダーと、前記第１のシリンダーに内蔵される羽根車と、前記第１のシリンダーの他端に接続され、内部にダスト収集室が画成された桶部とを備えた第１濾過器と、
前記アダプターカバーの前記第２の開口の下流側に直接または間接的に連通し、且つ、取り外し可能に接続された第２のシリンダーと、前記第２のシリンダーに内蔵されたネットとを備えた第２濾過器と、
を備えたことを特徴とする濾過装置。
【請求項２】
前記ネットは漏斗状に形成されており、前記ダスト収集室の体積は、前記ネットの前記漏斗状の内側の空間の体積よりも大きい
ことを特徴とする、請求項１に記載の濾過装置。
【請求項３】
前記第１濾過器の前記桶部は前記ダスト収集室を画成する桶本体と、前記桶本体に対して蓋をする略円盤状の桶カバーとを備え、
前記第１濾過器の前記第１のシリンダーの前記他端は、前記桶カバーを介して前記ダスト収集室の内部に突出すると共に、前記他端に環状カバーが接続される
ことを特徴とする請求項１に記載の濾過装置。
【請求項４】
一端が大径に形成されると共に他端が小径に形成されることにより略漏斗状に形成された２個の開口端カバーを備え、
前記２個の開口端カバーは、それぞれ前記第２濾過器の前記第２のシリンダーの両側に着脱可能に接続される
ことを特徴とする請求項１に記載の濾過装置。
【請求項５】
前記第１の開口により吸い込まれ、且つ前記第２の開口により前記第２濾過器に吹き込まれる流体の流れを発生させるよう、前記第２濾過器に直接または間接的に連通する風圧ユニットを備え、前記風圧ユニットは送風器であり、
前記風圧ユニットは、チャネルを内部に囲む環状体に形成され、且つ、前記チャネルと連通する吸い込み口と噴き出し口が形成されるリングベースと、前記リングベースに装着されると共に前記チャネル内に、前記吸い込み口から吸い込まれ、且つ前記噴き出し口から排出される気流を発生するモーターセットと、を備え、
前記吸い込み口が前記第２濾過器に直接または間接的に接続される
ことを特徴とする請求項１に記載の濾過装置。
【請求項６】
前記第１濾過器と前記第２濾過器と前記風圧ユニットとの間を接続する流路は、
直管状に形成されて２つの開口を有するパイプ継手と、
略Ｔ字型に形成されて３つの開口を有するＴ字分岐管と、
湾曲管状に形成されて２つの開口を有する接続管と、
から選ばれる少なくとも２個以上の組み合わせにより形成されていること
を特徴とする請求項５に記載の濾過装置。
【請求項７】
前記桶部は、複数の前記パイプ継手と、複数の前記Ｔ字分岐管により形成され、且つ前記第２のシリンダーが組み込まれた流路によって囲まれて固定されていることにより移動が制限される
ことを特徴とする請求項６に記載の濾過装置。
【請求項８】
前記パイプ継手の前記２つの開口のいずれかが形成されているパイプ連結部、前記Ｔ字分岐管の前記３つの開口のいずれかが形成されているＴ字分岐管縁部、前記アダプターカバーの前記第１の開口又は前記第２の開口が形成されている環状縁部、前記吸い込み口又は前記噴き出し口が形成されている環状縁部のいずれか２個を同時に接続するアダプターを備え、
前記アダプターは、略Ｃ字型に形成されたＣ字型バックルと、前記Ｃ字型バックルの両端部同士を締め付ける栓部材を備える
ことを特徴とする請求項６に記載の濾過装置。
【発明の詳細な説明】
【技術分野】
【０００１】
本発明は、濾過装置に関し、特に小さく軽い異物をも捕捉し得る濾過装置に関する。
【背景技術】
【０００２】
図１を参照して従来の濾過装置を説明する。ここで、図１は、従来の濾過装置の断面図である。濾過装置１は、筒状のシリンダーユニット１１と、このシリンダーユニット１１を上から覆うように設けられる上エンドカバー１２と、シリンダーユニット１１の下側に取り付けられる下エンドカバー１３と、シリンダーユニット１１の内部に設けられる羽根車１４を備える。
【０００３】
シリンダーユニット１１の内部には、軸線Ｌを中心に渦が発生する渦流室１１０が画成されている。また、上エンドカバー１２は、外部から空気を吸い込む吸収口１２１と、シリンダーユニット１１を介して進入する空気を外部へ排出する排出口１２２が形成されており、これら吸収口１２１と排出口１２２の間には仕切板が形成され、吸収口１２１から吸収した空気がシリンダーユニット１１を介して排出口１２２に流れるように流路が画成される。
【０００４】
上エンドカバー１２と下エンドカバー１３は、それぞれ上述の様にシリンダーユニット１１の相対する両端部を封鎖するように設けられる。羽根車１４は、シリンダーユニット１１における上エンドカバー１２側に軸線Ｌを回転軸として回転するように設けられ、渦流室１１０に渦を発生させる。ここで、排出口１２２の後段の流路に、吸い込み気流を発生させるモーター（図示せず）を接続することにより羽根車１４は回転することができる。
【０００５】
オイルミスト、煙、粉塵或いは排気ガス等の異物は、図１において白抜きの矢印で示された経路を経て排出される。すなわち、異物を含んだ空気は、上エンドカバー１２の吸収口１２１から取り込まれ、シリンダーユニット１１の渦流室１１０に入った後、渦流室１１０内で図１の白抜きの矢印で示すような渦に乗って遠心力により回転する。
【０００６】
その際、空気に混ざり込んだ異物は、シリンダーユニット１１の内壁に衝突して下に向かって流れ落ち、下側の端部１１２に徐々に積み重なり、異物を殆ど含まない空気は排出口１２２を介して外部に排出される。このような異物を除去する方法をサイクロン濾過方式と呼ぶものとする。
【先行技術文献】
【特許文献】
【０００７】
【特許文献１】台湾特許第Ｉ５２０７７０号明細書
【発明の概要】
【発明が解決しようとする課題】
【０００８】
しかし、サイクロン濾過方式を利用して異物を取り除く方法は、異物自体がある程度の大きさ、重さを有するものであるとき初めて十分な効果が得られ、小さく軽い異物は、空気と一緒に排出口１２２から排出されてしまうという問題がある。
【０００９】
また、現在市販されているサイクロン濾過方式の濾過装置は、いずれも空気を吸引する効果を利用して、図１に示すように濾過装置１に異物を含んだ空気を導入するものであるが、このような構成では一定程度の濾過効果は得られるものの、異物を含んだ空気の流路における吸収口１２１から羽根車１４までにかけては、まだ濾過されていない空気が入り込むため、汚れが付着し易く、長期間に渡り使用することが困難である。
【００１０】
本発明は、これらの問題に鑑みて、小さく軽い異物をも捕捉することができる濾過装置を提供することを目的とする。
【課題を解決するための手段】
【００１１】
本発明は、このような問題に鑑みて以下の構成を備える。
【００１２】
異物が混入した流体を吸い込む第１の開口と、流体を排出する第２の開口と、前記第１の開口と前記第２の開口の間に形成され且つ前記第１の開口及び前記第２の開口が形成された方向と交差する方向へ向けて開口した第３の開口と、前記第１の開口と前記第２の開口の間に設けられ前記第３の開口へ延伸する仕切板が形成されたアダプターカバーを備えた濾過装置において、筒状を呈し、前記アダプターカバーの前記第３の開口に一端が接続される第１のシリンダーと、前記第１のシリンダーに内蔵される羽根車と、前記第１のシリンダーの他端に接続され、内部にダスト収集室が画成された桶部とを備えた第１濾過器と、前記アダプターカバーの前記第２の開口の下流側に直接または間接的に連通し、且つ、取り外し可能に接続された第２のシリンダーと、前記第２のシリンダーに内蔵されたネットとを備えた第２濾過器と、を備える。
【発明の効果】
【００１３】
異物の収集過程において、比較的大きく重い異物は体積が比較的大きいダスト収集室内に捕捉され、収容できる体積が小さいネットで捕捉されるのは、比較的小さくて軽い異物に限られるので、ネットの網目が詰まるまでに時間がかかり、ネットの清掃回数を減らすことができ、更に小さくて軽い異物をも捕捉し得る。
【図面の簡単な説明】
【００１４】
【図１】従来の濾過装置の断面図である。
【図２】本発明の濾過装置の第１の実施例を説明する斜視図である。
【図３】本発明の第１の実施例の風圧ユニットを説明するための斜視図である。
【図４】本発明の第１の実施例の分解斜視図である。
【図５】本発明の第１の実施例の要部断面図である。
【図６】第１の実施例の要部断面図であり、第１濾過器が比較的大きい又は比較的重い異物を濾過する状況を説明する図である。
【図７】第１の実施例の要部断面図であり、第２濾過器が比較的小さい又は比較的軽い異物を濾過する状況を説明する図である。
【図８】本発明の濾過装置の第２の実施例を説明する正面図である。
【図９】本発明の濾過装置の第３の実施例を説明する斜視図であり、桶部２３が取り付けられる前の斜視図である。
【図１０】本発明の濾過装置の第３の実施例を説明する斜視図であり、桶部２３が取り付けられた後の斜視図である。
【発明を実施するための形態】
【００１５】
以下、図２〜図４を参照して本発明の濾過装置を説明する。ここで、図２は、本発明の濾過装置の第１の実施例を説明する斜視図であり、図３は本発明の第１の実施例の風圧ユニットを説明するための斜視図であり、図４は本発明の第１の実施例の分解斜視図である。
【００１６】
第１の実施例による濾過装置は、第１濾過器２と、第２濾過器３と、風圧ユニット６と、接続ユニット７を備える。
【００１７】
第１濾過器２は、第１のシリンダー２１と、アダプターカバー２２と、桶部２３と、環状カバー２４と、羽根車２５を備える。また、第２濾過器３は、詳しくは後述するように、第２のシリンダー３１と、２個の開口端カバー３２と、ネット３３を備える。
【００１８】
図２に示すように、第１濾過器２は、筒状に上下方向Ｚに沿って延伸するよう形成された第１のシリンダー２１を有し、第１のシリンダー２１は、桶部２３の上に設けられる。
また、第１のシリンダー２１は、図４に示すように、第１の渦流室２０を備える。第１のシリンダー２１の上下方向Ｚ軸における上側には端部２１１が形成され、下側には端部２１２が形成されている。
【００１９】
図４に示すように、アダプターカバー２２は、略Ｔ字型の通路を画成する。図４に示すように、アダプターカバー２２は、下側に形成された開口（第３の開口）が上下方向Ｚにおいてアダプターカバー２２よりも下側に配置された対応する第１のシリンダー２１の端部２１１に着脱可能に接続される。
【００２０】
また、アダプターカバー２２は、上下方向Ｚに直交する第２の方向Ｙにおける両端にそれぞれカバー開口２２１（気流を取り込む側を第１の開口、気流を排出する側を第２の開口と言う。）を画成する一対の環状縁部２２２を備える。なお、第１の開口と第３の開口、第２の開口と第３の開口はそれぞれ連通しているが、第１の開口と第２の開口とは仕切られている。
【００２１】
また、第１濾過器２を構成する桶部２３は、ダスト収集室２３０を画成する桶本体２３１と、桶本体２３１に着脱可能に接続され、且つダスト収集室２３０に蓋をする桶カバー２３２を備える。なお、桶カバー２３２は、図４に示すように、略円盤状に形成されるが、中心に貫通孔が形成されている。
【００２２】
図４に示すように、羽根車２５は、回転可能に第１のシリンダー２１と対応するアダプターカバー２２の間に設けられ、複数の羽根の回転により渦を発生する。ここで、渦は気流である。
【００２３】
図４、５を参照して第１濾過器２を構成する桶本体２３１について説明する。ここで、図５は、本発明の第１の実施例の要部断面図である。図４に示す桶本体２３１の最小径Ｄは、円筒状の第１のシリンダー２１の最大径ｄよりも長い。また、第１濾過器２を構成する環状カバー２４は、上下方向Ｚにおいて上側に配置された第１のシリンダー２１（図４の左側）の下側の端部２１２と着脱可能に接続される。
【００２４】
続いて、第２濾過器３について説明する。第２濾過器３は、第２のシリンダー３１を備え、第２のシリンダー３１の上下方向Ｚ軸における上側には端部３１１が形成され、下側には端部３１２が形成され、内部に第２の渦流室３０が形成されている。なお、本実施例において第１のシリンダー２１と第２のシリンダー３１の形状は同じものである。
【００２５】
また、図４に示すように、第２濾過器３は、２個の開口端カバー３２を備え、２個の開口端カバー３２は、第２のシリンダー３１を上下方向Ｚの両側から覆う。なお、図４の上下方向Ｚにおいて上側の開口端カバー３２を「第１の開口端カバー」と言い、下側の開口端カバー３２を「第２の開口端カバー」とも言う。
【００２６】
第１の開口端カバー３２は、大径に形成された下方の端部が、着脱可能に第２のシリンダー３１の上側の端部３１１と接続される。また、第１の開口端カバー３２は、下側の端部よりも小径に形成された上側の端部に端部開口３２１を画成する環状縁部３２２を備える。また、端部開口３２１は第２のシリンダー３１（図４の右側）の第２の渦流室３０と連通する。
【００２７】
ここで、図４の第２の方向Ｙにおいて右側に位置するカバー開口２２１は、後述するパイプ状の接続ユニット７を介して第２のシリンダー３１に形成される第２の渦流室３０に接続される。これにより、第１濾過器２と第２濾過器３が接続される。なお、第２の開口端カバー３２の形状は、第１の開口端カバー３２と本実施例においては同じものである。ただし、第２のシリンダー３１に取り付けるため、第２の開口端カバー３２（下側）は第１の開口端カバー３２（上側）と上下が逆にされている。
【００２８】
ネット３３は、対応する第２のシリンダー３１（図４において右側）の内部に入れられ、第２のシリンダー３１の第２の渦流室３０を上下方向Ｚに横断するよう漏斗状に形成されており、上下方向Ｚにおいて、下側へ向かうほど径が狭くなるように形成されている。
【００２９】
また、ネット３３は、通気性を有すると共に気流の中に存在する異物を複数の網目３３１によって捕捉できる。ここで、ネット３３の内側に形成される異物を捕捉できる空間の体積は、ダスト収集室２３０よりも小さい。これは、後述するように大きくて重い異物（第１の異物）はダスト収集室２３０に落下するため、ネット３３の内側に形成される異物を捕捉できる空間の体積は小さくても足りるからである。
【００３０】
次に、第１濾過器２と第２濾過器３以外の構成について説明する。図２に示すように、風圧ユニット６は、略円環状のリングベース６１と、上下方向Ｚと第２の方向Ｙのいずれにも直交する第１の方向Ｘに延伸した軸棒を介してリングベース６１に装着されると共に第２の方向Ｙに移動可能な２つのローラー６２を備える。
【００３１】
更に、風圧ユニット６は、リングベース６１の略中央で上下方向Ｚに延伸し、略円柱状に形成され、吸い込み気流を発生させるモーターセット６３を備える。なお、風圧ユニット６は送風器でも真空器でも良く、要するに気流を発生できれば足りる。
【００３２】
また、風圧ユニット６は、モーターセット６３に隣接して設けられ、且つ上下方向Ｚの上側に２つの通風口６４が画成された２つの環状縁部６５を備える。リングベース６１は、リングベース６１の縁を一回転するように形成されたチャネル６１１を有する。ここで、２つの通風口６４はそれぞれチャネル６１１の両端に連通し、気流を出し入れできる吸い込み口６４と噴き出し口６４として利用できる。
【００３３】
図２に示すように、接続ユニット７は、複数の筒状のパイプ継手７１と、複数のアダプター７２を備える。図４に示す様に、各パイプ継手７１は、相反する２つの端部にそれぞれパイプ連結部７１１が形成される。
【００３４】
図２の実施例において、パイプ継手７１は、一端が通風口６４の第１の方向Ｘにおける手前側に接続され、略Ｓ字型に曲げられた後、他端が上下方向Ｚの上側に開口する第１のパイプ継手７１と、一端が開口端カバー３２に接続され他端がアダプターカバー２２に接続される第２のパイプ継手７１を備える。
【００３５】
また、図２に示す様に、アダプター７２は、第１のパイプ継手７１の他端と第２のシリンダー３１の接続箇所に一箇所、上側の開口が小径の開口端カバー３２における上側の環状縁部３２２（図４）と第２のパイプ継手７１の間に一箇所、第２のパイプ継手７１とアダプターカバー２２の接続箇所に一箇所、合計３箇所設けられている。
【００３６】
ここで、図２に示す各アダプター７２は、それぞれ略Ｃ字型に形成されたＣ型バックル７２１と、このＣ型バックル７２１の両端部同士を締め付ける栓部材７２２を備える。ここで、Ｃ型バックル７２１は、略Ｃ字型に形成されていると共に、互いに枢支し合っている枢支端と枢支端に対して揺動可能な自由端を有する。また、アダプター７２は、栓部材（７２２）により、２つのＣ型バックル（７２１）のそれぞれの自由端同士を締め付ける。
【００３７】
次に、本発明の濾過装置の組み立て及び動作について図５、図６、図７を参照して説明する。ここで、図６は、第１の実施例の要部断面図であり、第１濾過器２が比較的大きい又は比較的重い異物を濾過する状況を説明する図である。また、図７は、第１の実施例の要部断面図であり、第２濾過器３が比較的小さい又は比較的軽い異物を濾過する状況を説明する図である。
【００３８】
図５〜図７に示すように、組み立て時は、桶部２３、アダプターカバー２２、環状カバー２４、羽根車２５をそれぞれ第１のシリンダー２１に装着することにより、図６に示す第１濾過器２を組み立てる。
【００３９】
第１濾過器２の第１のシリンダー２１の上側の端部２１１については、図６に示すように、まず羽根車２５を第１のシリンダー２１に装着し、次にアダプターカバー２２と接続する。一方、第１のシリンダー２１の下側の端部２１２は、上下方向Ｚに沿って桶部２３の桶カバー２３２を貫通させてから、下側の端部２１２に、桶カバー２３２を間に挟みこむように下側から環状カバー２４を取り付ける。
【００４０】
そして、これら第１のシリンダー２１と桶カバー２３２を一体として、桶本体２３１と結合するので、第１のシリンダー２１の下側の端部２１２はダスト収集室２３０内に位置することとなる。その結果、組み立てた後は、ダスト収集室２３０が第１のシリンダー２１と、アダプターカバー２２と、パイプ継手７１を介して、図５の右側に示す第２濾過器３の第２のシリンダー３１に形成された第２の渦流室３０と空間的に連通されることとなる。
【００４１】
一方、第２のシリンダー３１についての組み立て方法は以下の通りである。まず、図４に示すように、下側が窄むように形成された第２の開口端カバー３２（図４の下側）と第２のシリンダー３１を接続する。そして、第２のシリンダー３１にネット３３を挿入する。最後に、上側に位置し、且つ上側が窄むように形成された第１の開口端カバー３２を第２のシリンダー３１と接続する。このようにして、図５に示すような第２濾過器３が組み立てられる。
【００４２】
図４に示すように、パイプ継手７１の両端に形成されたパイプ連結部７１１が、それぞれ第１濾過器２の第２の方向Ｙに沿ったアダプターカバー２２のいずれか一方の環状縁部２２２と、第２濾過器３の上下方向Ｚの上向きに端部開口３２１が開口した対応する開口端カバー３２の環状縁部３２２と、の両方向へ向くような位置関係となるように、パイプ継手７１が湾曲するように形成される。
【００４３】
パイプ連結部７１１を、対応する環状縁部２２２、環状縁部３２２と相互に当接させた後は、アダプター７２のＣ型バックル７２１が、パイプコネクション７１１部と対応する環状縁部２２２、又は環状縁部３２２に対して外側から巻きつけられて、栓部材７２２で締めることにより、両者が接続される。このようにして、第１濾過器２と第２濾過器３を連通させて、第２濾過器３の第２の渦流室３０を、第１濾過器２の第１の渦流室２０に連通させる。
【００４４】
なお、この第１の実施例では、アダプター７２のＣ型バックル７２１が、パイプ連結部７１１と対応する環状縁部２２２、又は環状縁部３２２を接続したが、向きを変える必要がない場合には、アダプターカバー２２の環状縁部２２２と開口端カバー３２の環状縁部３２２をアダプター７２で直接接続しても良い。
【００４５】
図２の下側に示された第１のパイプ継手７１のパイプ連結部７１１は、風圧ユニット６のいずれかの通風口６４の周囲に形成された環状縁部６５と当接し、他のパイプ継手７１と同様の方法で、アダプター７２が、パイプ連結部７１１と環状縁部６５を接続し、図２の風圧ユニット６と第２濾過器３を接続することができる。
【００４６】
即ち、通風口６４を形成する環状縁部６５と第１のパイプ継手７１の下側に開口を形成するパイプ連結部７１１を当接させてから、アダプター７２を外側から巻きつけて固定する。
【００４７】
また、開口端カバー３２の環状縁部３２２と、第１のパイプ継手７１の上側に開口を形成するパイプ連結部７１１を当接させてから、同様にしてアダプター７２を外側から巻きつけてパイプ連結部７１１と環状縁部３２２が一体となるよう固定し、風圧ユニット６と第２濾過器３を接続する。
【００４８】
本発明の第１の実施例では、このように第１濾過器２と第２濾過器３を接続するため、オイルミスト、煙、粉塵或いは排気ガス等の異物を含んだ気流が、図６において矢印で示すように、第１濾過器２のアダプターカバー２２の左側のカバー開口２２１（第１の開口）から入り、下側に形成された第３の開口を介して第１のシリンダー２１の第１の渦流室２０に入った後、第１の渦流室２０内では、図６において白抜きの矢印で示すような渦が生ずるので、この遠心力を利用して、異物を第１のシリンダー２１の内壁に衝突させて内壁に沿って落下させ、ダスト収集室２３０内に沈殿させることにより、気流が運んできた比較的大きくて重い異物が取り除かれる。
【００４９】
また、第１濾過器２の第１の渦流室２０内を旋回する気流は、異物が落下する方向とは反対の方向へ流体を移動させ、図６の矢印で示すように、アダプターカバー２２の右側に形成されたカバー開口２２１（第２の開口）から対応するパイプ継手７１を経て、図７に示すように、第２濾過器３の開口端カバー３２の端部開口３２２から第２濾過器３の第２の渦流室３０へ進入する。
【００５０】
このようにして運ばれてきた気流は、図７の白抜き矢印で示すように、第２の渦流室３０において旋回気流を生成しながらネット３３に向かう。そして、気流が運んできた比較的小さく軽い異物（第２の異物）は、ネット３３で捕捉される。即ち、小さく軽い異物は、いずれもネット３３を形成する網目３３１の周囲でネット３３に衝突するが、その際に小さく軽い異物同士が一体となることにより比較的大きくて重い異物になり、ネット３３内に沈殿する。
【００５１】
最後に、ネット３３の網目３３１を通過する程に小さな異物を除き、気流は、ネットの網目３３１を通って他の開口端カバー３２（図７において下側）の端部開口３２２から排出される。そして、気流は、図７の下側に示すパイプ継手７１から、図２のモーターセット６３に対応する通風口６４（吸い込み口６４）を経てチャネル６１１に進入し、最後に他の通風口６４（噴き出し口６４）を介して濾過装置の外へ排出される。
【００５２】
更に、本発明の濾過装置は、使用に際し、アダプターカバー２２からミスト、粘稠液体、帯電した粒子、磁性粒子等の少なくともいずれかを含む混合気体を注入することができ、この混合気体は、第１濾過器２の第１の渦流室２０内で気流に存在する異物に付着することができ、両者が結合することにより重量が比較的重い粒子となって、異物が第１の渦流室２０の内壁に衝突して桶部２３のダスト収集室２３０内に沈殿する手助けとなる。
【００５３】
また、ダスト収集室２３０内の異物を清掃しようとするときは、桶本体２３１を桶カバー２３２から引き離すだけで清掃作業を行なうことができる。同様に、ネット３３内の異物を清掃しようとするときは、第２濾過器３の第２のシリンダー３１をパイプ継手７１と接続された開口端カバー３２から引き離すことにより、異物を清掃することができる。
【００５４】
特に、大きくて重い異物は、容積が比較的大きいダスト収集室２３０内に収集することができる。この結果、ネット３３で捕捉する必要がある異物の殆どは小さくて軽いものである。このため、ネット３３内に異物が充満してしまうまでには十分な時間がかかるので、ネット３３内の異物を取り換える頻度は少なくても足りる。
【００５５】
また、ネット３３で異物を捕捉する際は、上述したミスト、粘稠液体、帯電した粒子、磁性粒子等の少なくともいずれかと異物を十分に混合した上で、網目３３１にて捕捉することもできるので、混合されて大型化した異物は、ネット３３を通過しにくく、ネット３３で捕捉し易くなる。
【００５６】
なお、本実施例では１個のネット３３を用いたが、網目の大きさが異なる２以上のネット３３を用いることにより、更に異物の捕捉効果が高まる。
【００５７】
図３、図４、図８を参照して本発明の第２の実施例を説明する。ここで、図８は本発明の濾過装置の第２の実施例を説明する正面図である。
【００５８】
第２の実施例は、主にダストと混合された流体を濾過するために用いられる。これら第２の実施例は、第１の実施例と多くの構成が共通する。従って、第２濾過器３、アダプターカバー２２、風圧ユニット６、接続ユニット７を備える。異なる点は以下の通りである。
【００５９】
図８に示す様に、接続ユニット７は、２個の環状管７３と、接続管７４を備える。各環状管７３は、それぞれ対応する環状縁部２２２とパイプ連結部７１１とに接続される管接縁７３１を備える。接続管７４は、両端に位置する２個の環状管７３と接続される。
【００６０】
なお、上述の環状縁部２２２、環状縁部３２２、パイプ連結部７１１（図４）、管接縁７３１は同様に、アダプター７２を巻きつけることにより固定され、接続される。
【００６１】
図３、図８に示すように、第２の実施例においては、モジュール化された特殊な設計を利用しており、図８において白抜き矢印で示す様に、まず気流を、第１濾過器２の右側の開口端カバー３２の端部開口３２２から進入させる。
【００６２】
そして、気流は、同様に比較的大きく重い異物が桶部２３のダスト収集室２３０で取り除かれた上で、接続ユニット７によって第１濾過器２と直列となるように接続された第２濾過器３に進入する。
【００６３】
そして、気流を第２濾過器３、風圧ユニット６を介して、風の入り口となる第１の方向Ｘにおいて手前側、即ち左側の通風口６４（図２）に入れ、リングベース６１（図８）のチャネル６１１内に進入させて、最後に、清掃された気流は、風圧ユニット６の風の出口となる右側の通風口６４（図２）から、開口端カバー３２（図８）を経て、白抜き矢印で示したように排出される。
【００６４】
次に、図３、図９、図１０を参照して第３の実施例を説明する。ここで、図９は、本発明の濾過装置の第３の実施例を説明する斜視図であり、桶部２３が取り付けられる前の斜視図である。また、図１０は本発明の濾過装置の第３の実施例を説明する斜視図であり、桶部２３が取り付けられた後の斜視図である。
【００６５】
図１０に示す様に、接続ユニット７は、略Ｔ字型に分岐したＴ字分岐管７５を備える。また、Ｔ字分岐管７５の３個の端部には、それぞれＴ字分岐管縁部７５１が形成されている。図１０の第３の実施例では、上側に開口したＴ字分岐管縁部７５１は、上下方向Ｚに延伸したパイプ継手７１の下側に形成されたパイプ連結部７１１と接続される。
【００６６】
また、下側に形成されたＴ字分岐管縁部７５１は、図１０の下側に位置し途中で湾曲したパイプ継手７１のパイプ連結部７１１（図１０において符号は図示せず）に接続される。更に、途中で分岐した先にあるＴ字分岐管縁部７５１は、図１０において白抜き矢印で示されるように気流の噴き出し口として利用されている。
【００６７】
各Ｔ字分岐管縁部７５１は、それぞれ図４の環状縁部２２２若しくは環状縁部３２２若しくはパイプ連結部７１１のいずれかに接続される。図４の環状縁部２２２、環状縁部３２２、パイプ連結部７１１は、第１及び第２の実施例と同様にアダプター７２が巻きつけられて固定される。
【００６８】
図９、図１０に示す様に、本実施例では更にフレームユニット８を備える。フレームユニット８は、移動防止枠８２と、位置決め補助バー８１と、複数のキャップ部材８３を備える。移動防止枠８２は、図２、図９の桶部２３が動かないように固定するために用いられる。キャップ部材８３は、図９に示すように、環状縁８３１と、移動防止枠８２に嵌め合わせられる実柱部８３２を備える。
【００６９】
なお、アダプター７２は、図１０に示すとおり、Ｔ字分岐管７５のＴ字分岐管縁部７５１とパイプ連結部７１１を接続する他、図９に示すとおり相互に隣り合うキャップ部材８３の環状縁８３１とＴ字分岐管縁部７５１を接続する。
【００７０】
また、図９に示す様に、本実施例のキャップ部材８３は、最も上側のパイプ継手７１の上側の端部に加えてＴ字分岐管７５にも設けられる。そして、キャップ部材８３は、実柱部８３２を介して移動防止枠８２と接続することができる他、最も上側のパイプ継手７１とＴ字分岐管７５を封止して流路を密閉することにも利用される。
【００７１】
なお、本実施例によれば、図２と相違し、図１０に示す様に、桶部２３を位置決め補助バー８１と移動防止枠８２で固定するので、コンパクトに収容が可能である。すなわち、図１０に示す様に、風圧ユニット６の上側に桶部２３が位置するように、位置決め補助バー８１と移動防止枠８２で位置決めするので、上下方向Ｚに濾過装置を纏めることができ、幅を取らずコンパクトで便利である。
【００７２】
また、この第３の実施例においては、パイプ継手７１、第２濾過器３のシリンダー３１、Ｔ字分岐管７５は、風圧ユニット６と接続されて流体が流れるための流路を形成することができる他、この流路が、桶部２３を風圧ユニット６に設置する際のフレームとしての機能も果たし、濾過装置全体がコンパクトになると共に、桶部２３を風圧ユニット６と共に移動可能とすることができる。
【００７３】
以上の説明から明らかなように、本発明は実施形態によって以下の効果を有する。
【００７４】
１、比較的大きく重い異物は、体積が比較的大きいダスト収集室２３０内に捕捉されるので、異物の収集過程において、収容できる体積が小さいネット３３で捕捉されるのは、比較的小さくて軽い異物に限られ、ネット３３が充満するまでに時間がかかり、ネット３３の清掃回数を減らすことができる。
【００７５】
２、上述のように、渦を利用して遠心分離を行い、比較的大きくて重い異物をダスト収集室２３０に落下させ、気流を第２の渦流室３０へ流してから比較的小さくて軽い異物を捕捉するので、大きくて重い異物に加えて小さくて軽い異物をも除去することができる。
【００７６】
３、本発明はモジュール化した特殊な設計を採用したので、必要に応じて濾過器の数や種類を調整でき、空間の広さ、異物の多さ、又は気流が進入し若しくは排出される量に応じて、濾過器の種類や数を調整できる。
【００７７】
４、更に、本発明は、風圧ユニット６に型式や機能が異なる濾過装置を取り付けることができ、更に、風圧ユニット６の上流側で第１濾過器２を介してから風圧ユニット６に気流を進入させることもできるので、風圧ユニット６を長期間に渡り使用できる。
【００７８】
５、第１濾過器２、第２濾過器３の流体は、上から下へ流動して勢い良く風圧ユニット６に入るので、流体の流動経路に重力の力も加わり、流動性が高く、結果として異物の濾過に優れる。
【００７９】
以上の説明は、本発明の実施例に過ぎず、これを以って特許請求の範囲を限定するものではない。また、本発明の特許請求の範囲及び明細書の内容に簡単な付加や変化を加えたに過ぎないものについても、特許請求の範囲に記載された発明の技術的範囲に属するものとする。
【符号の説明】
【００８０】
２        第１濾過器
２１      第１のシリンダー
２０      第１の渦流室
２１２    端部
２２      アダプターカバー
２２１    カバー開口
２２２    環状縁部
２３      桶部
２３０    ダスト収集室
２３１    桶本体
２３２    桶カバー
２４      環状カバー
２５      羽根車
３        第２濾過器
３０      第２の渦流室
３１      第２のシリンダー
３２１    カバー開口
３２２    環状縁部
３２      開口端カバー
３３      ネット
３３１    網目
６        風圧ユニット
６１      リングベース
６１１    チャネル
６２      ローラー
６３      モーターセット
６４      通風口（吸い込み口及び噴き出し口）
６５      環状縁部
７        接続ユニット
７１      パイプ継手
７１１    パイプ連結部
７２      アダブター
７２１    Ｃ型バックル
７２２    栓部材
７３      環状管
７３１    管接縁
７４      接続管
７５      Ｔ字分岐管
７５１    Ｔ字分岐管縁部
８        フレームユニット
８１      位置決め補助バー
８２      移動防止枠
８３      キャップ部材
８３１    環状縁
８３２    実柱部
【図１】
2019205968.tif 000003
【図２】
2019205968.tif 000004
【図３】
2019205968.tif 000005
【図４】
2019205968.tif 000006
【図５】
2019205968.tif 000007
【図６】
2019205968.tif 000008
【図７】
2019205968.tif 000009
【図８】
2019205968.tif 000010
【図９】
2019205968.tif 000011
【図１０】
2019205968.tif 000012